(57)【要約】【課題】カードの種類に関係なく取り引きを行うことができ、かつ操作性の良好な金銭取扱端末を提供する。【解決手段】フロントパネル３を、垂直部分を構成するパネル面３１と水平部分を構成するテーブル面４８とで構成し、前記パネル面３１に操作表示部３２と、この操作表示部３２の下方に媒体取扱部３３とを配置し、前記媒体取扱部３３は、前記媒体口３４と前記明細票排出口３６と前記紙幣口３５とを備えると共に、機能拡張用の増設ユニット３７を備え、前記媒体口３４は、前記明細票排出口３６の側方に配置されると共に、その下方に前記増設ユニット３７を配置した構成とする。【選択図】図１
2006079384.tif 000002
【特許請求の範囲】
【請求項１】
内部に各種の処理を行う取引処理ユニットを有する本体と、この本体の前面に配置されたフロントパネルとを備え、このフロントパネルに操作表示部と媒体口と明細票排出口と紙幣口とを配置した金銭取扱端末において、
前記フロントパネルは、垂直部分を構成するパネル面と水平部分を構成するテーブル面とを備え、
前記パネル面は、前記操作表示部と、この操作表示部の下方に配置された媒体取扱部とを備え、
前記媒体取扱部は、前記媒体口と前記明細票排出口と前記紙幣口とを備えると共に、機能拡張用の増設ユニットを備え、
前記媒体口は、前記明細票排出口の側方に配置されると共に、その下方に前記増設ユニットが配置された
ことを特徴とする金銭取扱端末。
【請求項２】
請求項１に記載の金銭取扱端末において、
前記媒体取扱部は、テンキーを備え、
前記テンキーは、前記媒体口と前記明細票排出口との間で、かつ前記媒体口と前記明細票排出口よりも奥まった位置に配置されている
ことを特徴とする金銭取扱端末。
【請求項３】
請求項１に記載の金銭取扱端末において、
前記増設ユニットは、前記パネル面に対して傾斜して配置されている
ことを特徴とする金銭取扱端末。
【請求項４】
請求項３に記載の金銭取扱端末において、
前記増設ユニットは、非接触ＩＣカードリーダライタであり、
前記非接触ＩＣカードリーダライタは、その読取面が前記パネル面に対して傾斜するように配置されている
ことを特徴とする金銭取扱端末。
【発明の詳細な説明】
【技術分野】
【０００１】
本発明は、キャッシュカードやクレジットカード等の情報記録媒体に記録された情報に基づき、金銭の取引を行う金銭取扱端末、特に、現金の入出金を行う現金自動預入支払機（以下、ＡＴＭという）に関するものである。
【背景技術】
【０００２】
従来、ＡＴＭによる金銭取引は、磁気カードを利用したキャッシュカードやクレジットカード等の情報記録媒体をカード挿入口から挿入し、表示画面に表示された案内に従ってＡＴＭを操作することで、現金の預け入れや払い出し、振り込み等の金銭取引を行っている。このようなＡＴＭは、例えば、特許文献１に示されている。
【０００３】
また、近年、磁気カードに代わり、情報記録媒体として無線式カード（以下、非接触カードという）を用いて金銭取引を行うＡＴＭが見受けられるようになっている。
特に、非接触カードを用いた金銭取引においては、ＡＴＭの使用者が財布やカバン等から情報記録媒体を出すことなく、使用者が所有している複数の情報記録媒体の中から、所望の情報記録媒体を選択し、選択した情報記録媒体からの情報に基づき金銭取引を行うＡＴＭが、例えば、特許文献２に示されている。
【０００４】
【特許文献１】特開２０００−３４６９号公報
【０００５】
【特許文献２】特開２００２−３２８２７号公報
【発明の開示】
【発明が解決しようとする課題】
【０００６】
上記特許文献１に示されているようなＡＴＭにおいては、取引処理に使用するカードを財布や鞄の中から取り出す必要があり、カードの取り出しに時間がかかってしまうことがある。一般的なＡＴＭは、カード情報の入力、即ち、カード挿入口からカードを挿入することにより、認証処理が実行されて取引が可能な状態となるが、カードが挿入されるまでの待機時間も取引に必要な処理時間となる。このため、磁気カードを使用するＡＴＭにおいては、カードの挿入までに時間がかかると、取引時間も長くなってしまい、処理効率が低下するという問題があった。
【０００７】
上記特許文献２に示されているようなＡＴＭにおいては、取引処理に使用するカードを財布や鞄の中から取り出すことなく、取引処理を行うことができるので、処理効率を向上させることができる。しかしながら、非接触カードを使用するＡＴＭの多くは、非接触カードの情報を読み取る無線通信部と、ＡＴＭを操作するための操作表示部とを離して配置しており、情報の読み取りとＡＴＭの操作性についての配慮がなされていないという問題があった。
また、非接触カードを使用するＡＴＭの多くは、非接触カード専用であり、磁気カード等の接触式カードでの取引に対する配慮がなされていないという問題があった。
そこで、本発明の目的とするところは、取引処理に使用するカードの種類に関係なく取り引きを行うことができ、かつ操作性の良好な金銭取扱端末を提供することにある。
【課題を解決するための手段】
【０００８】
前記目的を達成するために、本発明は、内部に各種の処理を行う取引処理ユニットを有する本体と、この本体の前面に配置されたフロントパネルとを備え、このフロントパネルに操作表示部と媒体口と明細票排出口と紙幣口とを配置した金銭取扱端末において、前記フロントパネルは、垂直部分を構成するパネル面と水平部分を構成するテーブル面とを備え、前記パネル面は、前記操作表示部と、この操作表示部の下方に配置された媒体取扱部とを備え、前記媒体取扱部は、前記媒体口と前記明細票排出口と前記紙幣口とを備えると共に、機能拡張用の増設ユニットを備え前記媒体口は、前記明細票排出口の側方に配置されると共に、その下方に前記増設ユニットが配置された構成とする。
【発明の効果】
【０００９】
本発明によれば、取引処理に使用するカードの種類に関係なく取り引きを行うことができ、かつ操作性の良好な金銭取扱端末を提供することができる。
【発明を実施するための最良の形態】
【００１０】
以下、本発明に係る金銭取扱端末の実施形態を、現金自動取引機（以下、ＡＴＭという）を例にして、図を参照にしながら説明する。なお、各実施形態の同一または同様な部分や部位は同一符号をもって示し、重複した説明を省略する。
【実施例１】
【００１１】
本発明の第１の実施形態に係るＡＴＭを、図１から図７を参照しながら説明する。まず、図１を参照して、本発明の第１の実施形態に係るＡＴＭの外観について説明する。図１は、本発明の第１の実施形態に係るＡＴＭの外観構造を示す図であり、図１（ａ）は斜視図、図１（ｂ）は正面の部分拡大図である。
図１において、符号１で総括的に示すのは、金融機関等のロビーに設置されるＡＴＭであり、ＡＴＭ１は、直方体の前面上方の一部分が側面から見てＬ字形に切り欠かれた開口部を有する本体２と、Ｌ字形の開口部を塞ぐように配置された側面から見てＬ字形のフロントパネル３とから構成される。
【００１２】
本体２は、前面が開口した筐体５と、筐体５の前面下方の開口部を塞ぐように設けられた板状の前面扉６と、筐体５の背面に配置された板状の背面扉７とを有している。
筐体５は、各種の取引処理を行う処理ユニット、例えば、図示しないカードユニットや紙幣ユニット、明細票ユニット等を内蔵しており、各ユニットの媒体口は、Ｌ字形の開口部から露出するように配置されている。そして、Ｌ字形の開口部から露出した各ユニットの媒体口は、フロントパネル３に形成された開口部から露出して設けられている。
【００１３】
フロントパネル３は、本体正面の垂直面を形成するパネル面３１を備え、このパネル面３１にタッチパネル式の操作表示部３２と媒体取扱部３３が配置されている。
操作表示部３２には、各種の操作キーやガイダンスが表示されるようになっており、表示されたガイダンスに沿って、操作キーを操作する（タッチする）ことで、ＡＴＭを操作するようにしている。また、操作表示部３２の周囲には、撮像部４１やスピーカー４２、増設キー配置部４３が設けられている。
【００１４】
媒体取扱部３３には、磁気カードやＩＣカード等の情報記録媒体の挿入／排出を行う記録媒体口３４と、現金（紙幣）の挿入／排出を行う紙幣口３５と、取引明細票を排出する明細票排出口３６が設けられるとともに、増設ユニット３７やテンキー３８が設けられている。
この実施形態では、操作表示部３２と媒体取扱部３３とを上下に配置し、媒体取扱部３３に各媒体口や増設ユニットを配置した構成に大きな特徴を備えている。この構成により、操作表示部３２や媒体取扱部３３の視認性が高く、かつ操作表示部３２や媒体取扱部３３が操作しやすいＡＴＭを実現することができる。加えて、この実施形態では、正面から見て、記録媒体口３４を媒体取扱部３３の右上方、明細票排出口３６を媒体取扱部３３の左上方で記録媒体口３４と同じ高さ、紙幣口３５を媒体取扱部３３の中央から左下方にかけて配置した構成にも大きな特徴を備えている。
【００１５】
ＡＴＭの一般的な取引操作としては、操作表示部に表示された案内に従って画面をタッチし、カードや明細書、紙幣等の挿入／排出を、操作表示２の周囲やその他の場所に設けられた各媒体口を介して行うようになっている。また、一般的なＡＴＭでは、暗証番号の入力等を操作表示部で行っているが、近年でセキュリティの観点から、操作表示部や各媒体口から離れた場所あるいは操作表示部の手前などに設けられるテンキーにより、暗証番号の入力等を行う傾向が増えている。
【００１６】
本実施形態では、上述したように、操作表示部３２のすぐ下、即ち、媒体取扱部３３に横一列かつ同じ高さで各操作媒体部分を設けることで、記録媒体口３４へのカード挿入からテンキーでの暗証番号入力操作、明細票排出口３６から排出される明細書の受け取りを行い、最後に紙幣口３５から排出された紙幣を受け取るまでの一連の流れを、上部の操作表示部３２と関連付け、一貫した操作性が確保されるものである。
【００１７】
加えて、本実施形態では、記録媒体口３４と明細票排出口３６の間で、記録媒体口３４と明細票排出口３６よりも奥まった位置にテンキー３８配置することで、テンキー３８による入力操作を周囲から見えづらくすることができ、利用者が安心して操作できる構成としている。
これにより、各媒体口が操作表示部３２の近傍にまとめて配置された印象を与え、かつ操作の流れを右側から左側へ一直線とすることができ、ＡＴＭの操作を簡潔にすることができる。
【００１８】
また、本実施形態では、各操作媒体部分の上方に、ランプ部３９ａ、３９ｂ、３９ｃ、３９ｄ、３９ｅが設けられている。ランプ部３９ａ、３９ｂ、３９ｃは点滅動作を行うように構成され、点滅動作により各操作媒体部分における操作を誘導するようにしている。ランプ部３９ｄ、３９ｅは点灯動作を行うようになっており、点灯させることで各操作媒体部分の周囲を照らし、操作性や視認性を向上させるようにしている。特に、奥まった位置に配置されたテンキー３８の周囲の暗くなる部分をランプ部３９ｄの点灯により、テンキー３８を照らすことができ、テンキー３８を見やすくしている。
【００１９】
さらに、この実施形態では、媒体取扱部３３の右下方に形成された傾斜面に増設ユニット３７を設け、この増設ユニット３７に非接触ＩＣカードリーダライタや個人認証装置等の増設機器を設置することで、ＡＴＭの機能を拡張することができる。なお、増設機器の設置および機能については後述する。
【００２０】
次に、図２を参照して、第１の実施形態のＡＴＭの内部構成について説明する。図２は、第１の実施形態に係るＡＴＭの部品構成を示す図である。
図２において、本体２（図１参照）の内部には、カードユニット２１、テンキーユニット２２、明細票ユニット２３、紙幣口カバー２４、金銭ユニット（紙幣ユニット）２６、液晶ユニット２７、カメラユニット２８、増設キーユニット２９等が収納されており、各ユニットの一部分、例えば、カードユニット２１の正面に設けられた挿入／排出口２１ａや液晶ユニット２７の表示面２７ａが露出するように、フロントパネル３を本体２の正面に取り付けることで、ＡＴＭが構成されるようになっている。
【００２１】
次に、各ユニットの取付構造について説明する。図２において、３０はフロントパネル３の骨格を形成するフレームであり、このフレーム３０に形成された開口部３ａ、３ｂ、３ｃ、３ｄに、各部品を嵌合させることで、フロントパネルが形成されるようになっている。
３３ａは媒体取扱部３３の骨格を構成する媒体口パネルであり、この媒体口パネル３３ａに形成された開口部３３ｂ、３３ｃ、３３ｄ、３３ｅ、３３ｆにそれぞれカードユニット２１、テンキーユニット２２、明細票ユニット２３、紙幣口カバー２４、増設ユニット３７を取り付けることで、媒体取扱部３３が構成されている。また、各ユニットやカバーの上方には、ランプ部を構成する複数のランプユニット３９が配置されている。そして、この媒体取扱部３３は、開口部３ａに嵌合させることで、フロントパネル３に取り付けられるようになっている。
【００２２】
紙幣口カバー２４は、側面に配置されたカメラ部２４ａと底面に形成された開口部２４ｂを備え、開口部２４ｂは、本体２の内部下方に配置される金銭ユニット（紙幣ユニット）２６の入出金口２６ａと連通し、金銭の預け入れ／払い出しを行うようになっている。
開口部３ｂから３ｄには、それぞれ液晶ユニット２７、カメラユニット２８、増設キーユニット２９が取り付けられるようになっている。また、図２において、４８は開口部３ａの一部分をカバーするフロントピースであり、このフロントピース４８がフロントパネル３の水平方向の面（テーブル面）を形成するようになっている。
【００２３】
カメラユニット２８は、カメラ２８ａとハーフミラー２８ｂとから構成され、ハーフミラー２８ｂを開口部３ｃに嵌合させることで、ＡＴＭの操作者に対して、カメラ２８ａを極力意識させないような構成としている。なお、４９はキーユニットである。
【００２４】
次に、図３から図７を参照して、本実施形態に係るＡＴＭの外観寸法および使用状態について説明する。図３は、第１の実施形態に係るＡＴＭの外形寸法を示す図であり、図３（ａ）は正面図、図３（ｂ）は右側面図である。図４は、第１の実施形態に係るＡＴＭの使用状態を示す右側面図である。図５および図６は、第１の実施形態に係るＡＴＭに設置される追加機器の一例を示す図であり、図５（ａ）から図５（ｄ）は非接触ＩＣカードリーダライタの外観、図６（ａ）および図６（ｂ）は赤外線通信ユニットを有する非接触ＩＣカードリーダライタの外観、図６（ｃ）は指静脈認証ユニットを示している。
【００２５】
まず、図３を参照し、本実施形態のＡＴＭの外観寸法について説明する。図３において、本実施形態に係るＡＴＭ１は、全体の高さＨ１が１５９７ｍｍ、幅Ｗが５７０ｍｍ、奥行Ｄが７６５ｍｍの外形寸法を備えると共に、フロントパネル３の水平方向に形成されたテーブル面の先端部までの高さＨ２が９７４ｍｍ、媒体取扱口の上端部までの高さＨ３が１２９０ｍｍとなっている。また、フロントパネル３は、正面（垂直方向の面）を構成するパネル面３１が本体２に対して角度θ１だけ傾斜するように本体２の前面上方に取り付けられている。本実施形態では、角度θ１を約１５度に設定している。
【００２６】
なお、本実施形態に係る現金自動取引機１の外形寸法は、高さＨ１が１３００ｍｍ≦Ｈ１≦１７００ｍｍの範囲、幅Ｗが４００ｍｍ≦Ｗ≦８００ｍｍの範囲、奥行Ｄが４００ｍｍ≦Ｄ≦１０００ｍｍの範囲、Ｈ２が７００ｍｍ≦Ｈ２≦１０００ｍｍの範囲、Ｈ３が１０００ｍｍ≦Ｈ３≦１３５０ｍｍの範囲、角度θ１が０°≦θ１≦３５°で形成されるようになっている。
そして、本実施形態に係るＡＴＭ１は、図４で示すように、利用者ＸがＡＴＭ１の正面に立って操作する際、操作表示部３２や媒体取扱部３３は、利用者Ｘの視野範囲θ２に納まるようになっている。
【００２７】
このような構成とすることにより、利用者ＸがＡＴＭ１の正面に立った際、フロントパネルのパネル面に配置された操作表示部や媒体取扱口の位置を視覚的にわかり易くすることができる。しかも、視線を極端に動かすことなく、操作表示部や媒体取扱口を取り扱うことができるので、操作表示部の操作性や視認性および媒体取扱部の取扱性を良好にすることができる。
【００２８】
また、本実施形態では、記録媒体口３４の下部に増設ユニット３７を、角度θ０をつけて配置することで、視認性および取扱性を良好にすることができる。なお、本実施形態では、増設ユニット３７の設置角度θ０を４０°としているが、０°≦θ０≦９０°の範囲で使用状況によって設定できるようになっている。特に、本実施形態では、記録媒体口３４と関連した操作性を考慮し、最適な設置角度θ０として、０°≦θ０≦６０°の範囲で設定されるようになっている。
【００２９】
次に、増設ユニットによる取引使用方法について、増設ユニットに非接触ＩＣカードリーダライタを設置した場合を例として説明する。
増設ユニット３７による取引使用方法としては、画面操作の案内に従い基本操作として通常カードユニット２１の正面に設けられた挿入／排出口２１ａ（記録媒体口３４）にカードを挿入する代わりに、増設ユニット３７に機能を増設する外部機器として設置された非接触ＩＣカードリーダライタに記録媒体、例えば、非接触ＩＣカード（以下、カードとする）を所定の位置に置いたり、かざしたりすることで、ＡＴＭにカードを挿入することなく基本的な取引が可能になる。
【００３０】
また、カードユニット２１の正面に設けられた挿入／排出口２１ａにカードを挿入しながら増設ユニット３７に設置された非接触ＩＣカードリーダライタにカードを置くことで、例えば、銀行カード（キャッシュカード）を使用し、自分の口座から非接触ＩＣカードリーダライタに置かれた交通カード等へ電子マネーチャージ等が可能になる。
以上のように、本実施形態では、増設ユニット３７を記録媒体口３４下に配置した構成とすることで、増設ユニット３７に設置される各種の外部機器を、良好な操作性で使用することが可能である。
【００３１】
また増設ユニット３７には、傾斜面３７ａ（図５参照）と垂直面３７ｂ（図５参照）が設けられており、拡張する機能によって複数のユニットを組み合わせて増設ユニット３７に搭載して使用することが可能である。例えば、垂直面３７ｂには傾斜面３７ａに入らない大きさの紙、例えば請求書のバーコード部を読み込ませ、料金の支払いを行う事が可能となる。
また携帯電話を離れた位置からテーブル面に置かずに赤外線等を使い情報を送信し、カードへのチャージ、取引等が可能となる。
【００３２】
次に、図５および図６を参照して、増設ユニット３７（図１参照）に機能拡張ユニットとして設置することができる各種の外部機器について説明する。
まず、図５（ａ）は、増設ユニット３７に機能拡張ユニットとして設置することができる非接触ＩＣカードリーダライタ２５ａを示している。この非接触ＩＣカードリーダライタ２５ａは、非接触ＩＣカード２５ｂの読取面２５ｃを平坦面で形成したものである。また、図５（ｂ）で示す非接触ＩＣカードリーダライタ２５ｄは、基本的に非接触ＩＣカードリーダライタ２５ａと同様の機能を有しているが、読取面２５ｃを平坦面とした非接触ＩＣカードリーダライタ２５ａに対し、非接触ＩＣカードリーダライタ２５ｄは読取面２５ｃを傾斜させ、かつ読み取り面の下方にカード保持部２５ｒを形成したものである。
【００３３】
この非接触ＩＣカードリーダライタ２５ａおよび２５ｄを、増設ユニット３７に機能拡張ユニットとして設置し、ＡＴＭ１に取り付けた場合、特に非接触ＩＣカード２５ｂを読取面２５ｃに置いた状態での取り引き、例えば、非接触ＩＣカード２５ｂに現金（電子マネー）をチャージするような取引に適している。
【００３４】
図５（ｃ）および図５（ｄ）で示す非接触ＩＣカードリーダライタ２５ｅは、読取面２５ｃを傾斜させたものである。このような非接触ＩＣカードリーダライタ２５ｅを、増設ユニット３７（図１参照）に機能拡張ユニットとして設置し、ＡＴＭ１に取り付けた場合、特に非接触ＩＣカード２５ｂや携帯型情報端末機１００等を読取面２５ｃにかざした状態での取り引きに適している。
【００３５】
また、図６（ａ）および図６（ｂ）に示す非接触ＩＣカードリーダライタ２５ｊは、非接触ＩＣカードリーダライタ２５ｄにデータ送受信部２５ｆを設けたものであり、非接触ＩＣカード２５ｂのＩＣチップ部２５ｈや携帯形情報端末２５ｊの送受信部２５ｋとデータ送受信部２５ｆとの間で無線通信を行うことにより、各種の取り引きを行うようになっている。
【００３６】
図６（ｃ）は、増設ユニット３７（図１参照）に機能拡張ユニットとして設置することができる指静脈認証装置２５ｇを示している。この指静脈認証装置２５ｇの略中央には認識部２５ｍが形成されており、認識部２５ｍに指を置くことで個人認証を行い、認証が終了したら、取引を行えるようになっている。
以上のように、本実施形態に係るＡＴＭによれば、増設ユニット３７に機能拡張ユニットとして各種の外部機器を設置することができるので、使用目的に合った使い勝手の良いＡＴＭを実現することが可能となる。
【実施例２】
【００３７】
本発明の第２の実施形態に係るＡＴＭを、図７から図１２を参照しながら説明する。まず、図７を参照して、本発明の第１の実施形態に係るＡＴＭの外観について説明する。図７は、本発明の第２の実施形態に係るＡＴＭの外観構造を示す図であり、図７（ａ）は斜視図、図７（ｂ）は正面の部分拡大図である。
【００３８】
図７において、符号７０で総括的に示すのは、金融機関等のロビーに設置されるＡＴＭであり、ＡＴＭ７０は、直方体の前面上方の一部分が側面から見てＬ字形に切り欠かれた開口部を有する本体７１と、Ｌ字形の開口部を塞ぐように配置され側面から見てＬ字形に形成されたフロントパネル７２とから構成される。
【００３９】
本体７１は、前面が開口した筐体７３と、筐体７３の前面下方に設けられた板状の前面扉７４と、筐体７３の背面に配置された板状の背面扉７５とを有している。
筐体７３は、各種の取引処理を行う機構部、例えば、図示しないカード／明細ユニットや紙幣ユニット、硬貨ユニット、通帳ユニット、操作表示部等を内蔵しており、操作表示部の表面や各ユニットの媒体口は、フロントパネル７２から露出するように配置されている。
【００４０】
Ｌ字形のフロントパネル７２は、本体正面の垂直面を形成するパネル面７６と、水平面を構成するテーブル部７７とを備え、筐体７３に内蔵された操作表示部や各ユニットの媒体口がパネル面７６やテーブル部７７から露出するように、フロントパネル７２が本体７１に取り付けられるようになっている。本実施形態では、媒体取扱部１２０に配置されたカード／明細票取扱口８１や通帳取扱口８２、紙幣挿入／排出口８３、硬貨挿入／排出口８４がパネル面７６から露出し、操作表示部８５がテーブル面７７から露出するようになっている。
【００４１】
本実施形態に係るＡＴＭ７０は、上述した第１の実施形態と同様、ＡＴＭの利用者が操作する操作表示部や媒体取扱口の近傍に、増設ユニット８６が設けられている点に大きな特徴を有している。具体的に、本実施形態では、テーブル面７７に露出した操作表示部８５の両側に、増設ユニット８６を設けた構成としている。この増設ユニット８６には、第１の実施形態と同様、使用状況に応じて、非接触ＩＣカードリーダライタや赤外線通信ユニットを有する非接触ＩＣカードリーダライタ、指静脈認証ユニット等を設置することができるようになっている。加えて、本実施形態では、図７（ａ）で示すように、通話を行うためのハンドセット８６ａを増設ユニット８６に設けるようにしても良い。
このような構成とすることにより、第１の実施形態と同様、使用状態に合わせた使い勝手の良好なＡＴＭとすることができる。
【００４２】
次に、本実施形態に係るＡＴＭの、その他の特徴について説明する。
図７において、前面扉７４は、テーブル面７７の手前側よりも一段奥まった位置に設けられ、ＡＴＭ７０の前面に蹴込み部を形成している。また、テーブル面７７の手前側には丸みが付けられているとともに、このテーブル面７７の手前側の両側面に凹部８７を形成している。このような構成とすることで、利用者が近づきやすい形状のＡＴＭとすることができ、しかもＡＴＭの操作時には凹部に手を掛けて、体を支えることができるので、楽な姿勢でＡＴＭを操作することができる。また、このような構成とすることで、例えば、車椅子の方がＡＴＭを利用する時に、凹部を筐体へ近づく際の取手部とすることができるので、車椅子の方にとっても使い易いＡＴＭとすることができる。
【００４３】
図７において、フロントパネルの垂直面に配置されるカード／明細票取扱口８１および通帳取扱口８２は、その下側に、左右に通った横長のテーブル部８８を形成し、このテーブル部８８をフロントパネル７２の垂直面から突出するように設けた構成としている。
このような構成とすることにより、ＡＴＭの使用時におけるカード／明細票取扱口８１および通帳取扱口８２の視認性を良好にすることができる。また、カードおよび通帳の出し入れを行う際には、横長のテーブル部８８をガイドとして使用することができるので、カードや通帳の出し入れを確実に行うことができる。
【００４４】
次に、図８を参照して、第２の実施形態に係るＡＴＭの内部構成について説明する。図８は、第２の実施形態に係るＡＴＭの部品構成を示す図である。
図８において、本体７１の内部には、カード／明細票ユニット９１、通帳ユニット９２、紙幣ユニット９３、硬貨ユニット９４、液晶ユニット９５等が収納されている。８０はフロントパネル７２の垂直方向（縦方向）の骨格を形成するフレームである。このフレーム８０は、正面に切欠部８０ａが形成されており、この切欠部８０ａにＬ字形の媒体口パネル９６の垂直面９６ａを嵌合させることで、フロントパネル７２の垂直面（パネル面７６）を形成している。８１はフロントパネルの水平方向（横方向）の骨格を形成するフロントカバーである。このフロントカバー８１は、上面に切欠部８１ａが形成されており、この切欠部８１ａにＬ字形の媒体口パネル９６の水平面９６ａを嵌合させることで、フロントパネル７２の水平面、即ちテーブル面７７を形成している。
媒体口パネル９６の垂直面９６ａおよび水平面９６ｂは、それぞれ開口部を備えており、本体７１に収納された各ユニットの一部分がこの開口部から露出するようになっている。
【００４５】
次に、本体に収納された各ユニットとフロントパネルとの取付構造について説明する。図８において、カード／明細票ユニット９１および通帳ユニット９２の前方には媒体取扱口９１ａ、９２ａが設けられており、この媒体取扱口９１ａ、９２ａにそれぞれベゼル９１ｂ、９２ｂを取り付けた状態で、媒体口パネル９６の垂直面９６ａに形成された開口部９１ｃ、９２ｃとそれぞれ嵌合させることで、フロントパネル７２の垂直面にカード／明細票取扱口８１および通帳取扱口８２が形成される。また、ベゼル９１ｂ、９２ｂは突出部を備えており、この突出部がカード／明細票取扱口８１および通帳取扱口８２の下部のテーブル部８８を構成している。
【００４６】
紙幣ユニット９３および硬貨ユニット９４は、それぞれ入出金口９３ａ、９４ａを備えており、媒体口パネル９６の水平面９６ｂに形成された開口部９３ｂ、９４ｂが入出金口９３ａ、９４ａが位置と重なるようにフロントパネル７２を本体７１の前面に配置することで、フロントパネル７２の水平面の奥側、即ち、テーブル面８８の奥側に紙幣口８３および硬貨口８４が形成される。
【００４７】
液晶ユニット９５は、媒体口パネル９６の水平面９６ｂに形成された開口部９５ａと重なるように配置されることで、テーブル面８８に操作表示面９５ｂが配置される。
媒体口パネル９６の水平面９６ｂに形成された一対の開口部９７には、通常、目隠し板９７ａが配置されているが、使用目的に応じて、紙幣ユニット９３および硬貨ユニット９４の増設機器を設けることができるようになっている。
【００４８】
また、フロントパネル７２の正面上方には、カメラ１１０ａとスピーカー１１０ｂが取り付けられた表示ユニット１１０と、この表示ユニットを覆うカバー１１１が配置されている。この表示ユニット１１０は、ＡＴＭにより実施可能な取り引き、例えば、現金の引き出しや預け入れ、振り込み等の取り引きを案内するようになっている。
【００４９】
次に、図９から図１２を参照して、本実施形態に係るＡＴＭの外観寸法および使用状態について説明する。図９は、第２の実施形態に係るＡＴＭの外形寸法を示す図であり、図９（ａ）は正面図、図９（ｂ）は右側面図である。図１０は、第２の実施形態に係るＡＴＭの使用状態を示す右側面図である。図１１は、第２の実施形態に係るＡＴＭに設置される追加機器の一例を示す図であり、図１１（ａ）は非接触ＩＣカードリーダライタの外観図、図１１（ｂ）および図１１（ｃ）はカードを設置した状態を示す図である。また、図１２は、第２の実施形態に係るＡＴＭに設置される追加機器の一例を示す図であり、図１２（ａ）は非接触ＩＣカードリーダライタに携帯電話を設置した状態を示す図、図１２（ｂ）が非接触ＩＣカードリーダライタに携帯情報端末を設置した状態を示す図である。
【００５０】
まず、図９を参照し、第２の実施形態に係るＡＴＭの外観寸法について説明する。図９において、第２の実施形態に係るＡＴＭ７０は、全体の高さＨ４が１２００ｍｍ、幅Ｗ１が５７０ｍｍ、奥行Ｄ１が１０７０ｍｍの外形寸法を備えると共に、フロントパネル７２の水平方向に形成されたテーブル面８８の先端部までの高さＨ５が８２５ｍｍ、媒体取扱口の上端部までの高さＨ６１０５０ｍｍとなっている。また、テーブル部は、設置面に対して角度θ３だけ傾斜するように配置されている。本実施形態では、角度θ３を８°に設定している。
【００５１】
なお、本実施形態に係るＡＴＭ７０の外形寸法は、高さＨ４が１０００ｍｍ≦Ｈ４
≦１６００ｍｍの範囲、幅Ｗ１が４５０ｍｍ≦Ｗ１≦６００ｍｍの範囲、奥行Ｄ１
が４５０ｍｍ≦Ｄ１≦１２００ｍｍの範囲、Ｈ５が７００ｍｍ≦Ｈ５≦８５０ｍｍの範囲、Ｈ６が１０００ｍｍ≦Ｈ６≦１５００ｍｍの範囲、角度θ３が０°≦θ３≦３０°で形成されるようになっている。
そして、本実施形態に係るＡＴＭ１は、図１０で示すように、利用者ＸがＡＴＭ７０の正面に立って操作する際、操作表示部８５や媒体取扱部１２０は、利用者Ｘの腕の動作範囲に納まるようになっている。
【００５２】
このような構成とすることにより、利用者ＸがＡＴＭ１の正面に立った際に、フロントパネルのパネル面に配置された操作表示部や媒体取扱口の位置を視覚的にわかり易くすることができる。しかも、視線を極端に動かすことなく、操作表示部や媒体取扱口を取り扱うことができるので、操作表示部の操作性や視認性および媒体取扱部の取扱性を良好にすることができる。
また、本実施形態では、記録媒体口３４の下部に増設ユニット３７を、角度θ０をつけて配置することで、視認性および取扱性を良好にすることができる。なお、本実施例では増設ユニット３７の設置角度θ３を８°としているが、０°≦θ３≦３０°の範囲で使用状況によって設定できるようになっている。特に、本実施形態では、記録媒体口３４と関連した操作性を考慮し、最適な設置角度θ３として、０°≦θ０≦２０°の範囲で設定されるようになっている。
【００５３】
次に、増設ユニットによる取引使用方法について、増設ユニットに非接触ＩＣカードリーダライタを設置した場合を例として説明する。
増設ユニット３７による取引使用方法としては、画面操作の案内に従い基本操作として通常媒体取扱部１２０に配置されたカード／明細票取扱口８１にカードを挿入する代わりに、増設ユニット８６に機能を増設する外部機器として設置された非接触ＩＣカードリーダライタに記録媒体、例えば、非接触ＩＣカード（以下、カードとする）を所定の位置に置いたり、かざしたりすることで、ＡＴＭにカードを挿入することなく基本的な取引が可能になる。
【００５４】
また、通常媒体取扱部１２０に配置されたカード／明細票取扱口８１にカードを挿入しながら増設ユニット３７に設置された非接触ＩＣカードリーダライタにカードを置くことで、例えば、銀行カード（キャッシュカード）を使用し、自分の口座から非接触ＩＣカードリーダライタに置かれた交通カード等へ電子マネーチャージ等が可能になる。
【００５５】
以上のように、本実施形態では、離れた位置ではあるが、増設ユニット３７を記録媒体口３４下に配置した構成とすることで、増設ユニット３７に設置される各種の外部機器を、良好な操作性で使用することが可能である。
通常媒体取扱部１２０に配置されたカード／明細票取扱口８１より手前側にある増設ユニット８６を使用する事で画面を見ながら関連づけて操作が可能になる。
また手前側にある事で媒体口まで距離があって手が届きにくい車椅子使用者の方は使用しやすくなる。
【００５６】
次に、図１１および図１２を参照して、増設ユニット８６（図７参照）に機能拡張ユニットとして、非接触ＩＣカードリーダライタを設置した場合の使用方法について説明する。
まず、図１１（ａ）において、非接触ＩＣカードリーダライタ９９は、テーブル面８８の傾斜角に合わせて傾斜した状態で設置されている。また、非接触ＩＣカードリーダライタ９９の上方に点字シート９９ａを設けるようにしてもよい。
【００５７】
この非接触ＩＣカードリーダライタ９９の読み取り面９９ｂに、図１１（ｂ）で示すようにカード９９ｃを置くと、非接触ＩＣカードリーダライ９９に設けられた図示しないセンサによりカード９９ｃを検知し、両サイドからカード９９ｃの落下を防止するためのロック機構１３０が突出し、この状態で取り引きを行うようになっている。
【００５８】
このようなロック機構を設けることで、取り引き時におけるカードの保持性ができ、取り引きを確実に行うことができる。また、ロック機構を両サイドに配置することで、前後方向（短手方向）にスペースを確保することができ、カード取り出し時の取扱性を良好にすることができる。
取り引きが終了すると、図１１（ｃ）で示すように、ロック機構１３０が収納されるとともに、カード９９ｃがせりあがり、カード９９ｃを取り出すことができるようになっている。
【００５９】
また、この非接触ＩＣカードリーダライタ９９は、図１２で示すように、カード９９ｃの他に携帯電話機１００やＰＤＡ等の携帯型情報端末機１５０を読み取り面９ｂにかざしたり、置いたりすることができるようになっている。このような構成とすることにより、近年、普及が著しい携帯型情報端末機を用いて各種の金銭取り引きを行うことができるので、ＡＴＭの使い勝手を良好にすることができる。
なお、第２の実施形態では、機能拡張ユニットの一例として非接触ＩＣカードリーダライタを用いて説明したが、第１の実施形態で説明した指静脈認証ユニットを、機能拡張ユニットとして設置することもできるようになっている。
（その他の実施形態）
【００６０】
上記第１および第２の実施形態では、金銭取引端末の一例としてＡＴＭを用いて説明したが、例えば、クレジット認証端末装置やＰＯＳレジ端末等の各種の金銭取引端末にも適用することができ、第１および第２の実施形態と同様の効果を得ることができる。
【産業上の利用可能性】
【００６１】
本発明により、種々のカードに対応した使い勝手の良いＡＴＭの実現が可能となる。
【図面の簡単な説明】
【００６２】
【図１】本発明の第１の実施形態に係るＡＴＭの外観構造を示す図である。
【図２】本発明の第１の実施形態に係るＡＴＭの部品構成を示す図である。
【図３】本発明の第１の実施形態に係るＡＴＭの外形寸法を示す図である。
【図４】本発明の第１の実施形態に係るＡＴＭの使用状態を示す右側面図である。
【図５】本発明の第１の実施形態に係るＡＴＭに設置される追加機器の一例を示す図である。
【図６】本発明の第１の実施形態に係るＡＴＭに設置される追加機器の一例を示す図である。
【図７】本発明の第２の実施形態に係るＡＴＭの外観構造を示す図である。
【図８】本発明の第２の実施形態に係るＡＴＭの部品構成を示す図である。
【図９】本発明の第２の実施形態に係るＡＴＭの外形寸法を示す図である
【図１０】本発明の第２の実施形態に係るＡＴＭの使用状態を示す右側面図である。
【図１１】本発明の第２の実施形態に係るＡＴＭに設置される追加機器の一例を示す図である。
【図１２】本発明の第２の実施形態に係るＡＴＭに設置される追加機器の一例を示す図である。
【符号の説明】
【００６３】
１…ＡＴＭ、２…本体、３…フロントパネル、５…筐体、６…前面扉、７…背面扉、２１…カードユニット、２２…テンキーユニット、２３…明細票ユニット、２４…紙幣口カバー、２６…金銭ユニット（紙幣ユニット）、２７…液晶ユニット、２８…カメラユニット、２９…増設キーユニット、３０…フレーム、３１…パネル面、３２…操作表示部、３３…媒体取扱部、３４…記録媒体口、３５…紙幣口、３６…明細票排出口、３７…増設ユニット、３８…テンキー、３９…ランプユニット、４１…撮像部、４２…スピーカー、４３…増設キー配置部、４８…フロントピース、４９…キーユニット、７０…ＡＴＭ、７１…本体、７２…フロントパネル、７３…筐体、７４…前面扉、７５…背面扉、７６…パネル面、７７…テーブル部、８０…フレーム、８１…カード／明細票取扱口、８２…通帳取扱口、８３…紙幣挿入／排出口、８４…硬貨挿入／排出口、８５…操作表示部、８６…増設ユニット、８８…テーブル部、９１…カード／明細票ユニット、９２…通帳ユニット、９３…紙幣ユニット、９４…硬貨ユニット、９５…液晶ユニット、９６…媒体口パネル、１００…携帯電話機、１１０…表示ユニット、１１１…カバー、１２０…媒体取扱部。
【図１】
2006079384.tif 000003
【図２】
2006079384.tif 000004
【図３】
2006079384.tif 000005
【図４】
2006079384.tif 000006
【図５】
2006079384.tif 000007
【図６】
2006079384.tif 000008
【図７】
2006079384.tif 000009
【図８】
2006079384.tif 000010
【図９】
2006079384.tif 000011
【図１０】
2006079384.tif 000012
【図１１】
2006079384.tif 000013
【図１２】
2006079384.tif 000014